(57)【要約】【課題】路面などに配置され、観察者が見下ろす形態で視認する情報表示装置において、必要とされる視認性の確保、並びに、太陽電池による発電効率の向上を図る。【解決手段】本発明に係る情報表示装置は、観察者の視点下方に配置される情報表示装置であって、左右に隣り合って配列された複数の単位表示部を備え、単位表示部は、観察者に観察させる像を表示する表示部と、表示部の観察側に位置する太陽電池部と、表示部及び太陽電池部の上面に配置されたレンズと、を備え、少なくとも１つの単位表示部は、下記条件式（１）を満たすことを特徴とする。【選択図】図２
2015069115.tif 000002
【特許請求の範囲】
【請求項１】
観察者の視点下方に配置される情報表示装置であって、
左右に隣り合って配列された複数の単位表示部を備え、
前記単位表示部は、
観察者に観察させる像を表示する表示部と、
前記表示部の観察側に位置する太陽電池部と、
前記表示部及び前記太陽電池部の上面に配置されたレンズと、を備え、
少なくとも１つの前記単位表示部は、下記条件式（１）を満たすことを特徴とする
情報表示装置。
ｆ＞ｘ＊ｉ／（ａ＋ｈ）    ・・・（１）
ただし、
ｆ：前記レンズの焦点距離
ａ：前記情報表示装置を視認可能とする最短距離
ｘ：前記レンズ主軸位置から前記表示部と前記太陽電池部の境界位置までの距離
ｉ：観察者の視点位置の高さ
ｈ：前記情報表示装置の下端から観察位置までの距離
【請求項２】
少なくとも１つの前記単位表示部は、下記条件式（２）を満たすことを特徴とする
請求項１に記載の情報表示装置。
ｆ＜Ｄ＊ｉ／（ｂ＋ｈ）    ・・・（２）
ただし、
ｂ：前記情報表示装置を視認可能とする最長距離
Ｄ：前記レンズ主軸から前記表示部端までの距離
【請求項３】
隣り合う前記単位表示部の間には反射面が形成されていることを特徴とする
請求項１または請求項２に記載の情報表示装置。
【請求項４】
少なくとも１つの前記単位表示部は、下記条件式（３）を満たすことを特徴とする
請求項３に記載の情報表示装置。
ｆ＜（２Ｄ−ｘ）＊ｉ／（ｂ＋ｈ）    ・・・（３）
ただし、
ｂ：前記情報表示装置を視認可能とする最長距離
Ｄ：前記レンズ主軸から前記表示部端までの距離
【請求項５】
少なくとも１つの前記単位表示部は、下記条件式（４）を満たすことを特徴とする
ｆ＋Ｄ／ｔａｎφ＞Ｍ＞ｆ−Ｄ／ｔａｎφ    ・・・（４）
ただし、
Ｍ：上方への前記反射面の突出量
ｔａｎφ＝（ｂ＋ｈ）／ｉ
ｂ：前記情報表示装置を視認可能とする最短距離
請求項３に記載の情報表示装置。
【請求項６】
前記太陽電池部に隣り合って配置される第２の表示部を有し、
第１の観察方向からは前記表示部による像を観察させるとともに、前記第１の観察方向と異なる第２の観察方向からは前記第２の表示部による像を観察させることを特徴とする
請求項１から請求項５の何れか１項に記載の情報表示装置。
【請求項７】
複数の前記単位表示部間で、前記表示部の幅と前記太陽電池部の幅の比率が異なることを特徴とする
請求項１から請求項６の何れか１項に記載の情報表示装置。
【請求項８】
複数の前記単位表示部間で、前記レンズの光学特性が異なることを特徴とする
請求項１から請求項７の何れか１項に記載の情報表示装置。
【発明の詳細な説明】
【技術分野】
【０００１】
本発明は、広告等、地面表面に設置され、観察者が見下ろして観察を行う情報表示装置に関するものである。特に、表示面に太陽電池が配設され、発電可能な情報表示装置に関する。
【背景技術】
【０００２】
近年、特許文献１に開示されているような床面設置広告体の普及が広まっているが、なお一層の広告効果の向上が求められている。一般的な垂直設置広告体と同様に床面設置広告体においても、電光掲示や照明機器などの電気機器を利用することで広告効果を高めることができる。また、電気機器の電源として太陽電池を搭載することにより、系統電源の電力配線の有無に捉われずに大きな広告効果が見込まれる場所に広告体を設置することが可能である。例えば、特許文献１では、照明機器と太陽電池を搭載した電力自給式の太陽電池複合型広告体が開示されている。このような構成を床面設置広告体にも応用することができる。
【先行技術文献】
【特許文献】
【０００３】
【特許文献１】実用新案登録第３１２２７５５号公報
【特許文献２】特開２００５−１８９６２９号公報
【特許文献３】特許第４０８６２０６号公報
【発明の概要】
【発明が解決しようとする課題】
【０００４】
しかし、特許文献１に開示されている太陽電池複合型広告体を始めとして、太陽電池を併設した多くの電力自給式の電気製品では、共通して外観の環境調和性が課題となっている。すなわち、メガソーラーなどの専用施設に設置されていて人目に触れることがない太陽電池とは異なり、電力自給式の電気機器に搭載される太陽電池の多くは身近な生活空間で使用されるために、人の感性に馴染むデザイン性を有することが求められる。太陽電池の外観色は濃紺色や黒色の単一色である上に、光照射面を露出させる必要があるために、電気機器に太陽電池をそのまま併設してしまうと外観を周囲の環境に調和させることができない。そこで、特許文献３には、装飾具と太陽電池モジュールを一体化することで外観を環境に調和させる技術が開示されている。
【０００５】
特許文献３に開示されている構成では、太陽電池での発電量と装飾具による意匠性を両立することで外観を環境に調和させる効果が得られる。しかし、特許文献３でこの効果が得られるのは、太陽光、太陽電池モジュール、観察者の位置関係が一定の条件を満たす場合であり、太陽電池複合型床面設置広告体の用途で想定される位置関係では効果を得ることができない。
【０００６】
この発明は上記の課題を解決するためになされたものである。すなわちこの発明は太陽電池での発電量と、床面設置広告体の広告標示の視認性と、床面設置広告体外観の環境調和性が両立できる情報表示装置を提供することを目的とする。
【課題を解決するための手段】
【０００７】
そのため、以下の構成要件を有することを特徴としている。
観察者の視点下方に配置される情報表示装置であって、
左右に隣り合って配列された複数の単位表示部を備え、
前記単位表示部は、
観察者に観察させる像を表示する表示部と、
前記表示部の観察側に位置する太陽電池部と、
前記表示部及び前記太陽電池部の上面に配置されたレンズと、を備え、
少なくとも１つの前記単位表示部は、下記条件式（１）を満たすことを特徴とする
ｆ＞ｘ＊ｉ／（ａ＋ｈ）    ・・・（１）
ただし、
ｆ：前記レンズの焦点距離
ａ：前記情報表示装置を視認可能とする最短距離
ｘ：前記レンズ主軸位置から前記表示部と前記太陽電池部の境界位置までの距離
ｉ：観察者の視点位置の高さ
ｈ：前記情報表示装置の下端から観察位置までの距離
【０００８】
さらに本発明に係る情報表示装置において、
少なくとも１つの前記単位表示部は、下記条件式（２）を満たすことを特徴とする。
ｆ＜Ｄ＊ｉ／（ｂ＋ｈ）    ・・・（２）
ただし、
ｂ：前記情報表示装置を視認可能とする最長距離
Ｄ：前記レンズ主軸から前記表示部端までの距離
【０００９】
さらに本発明に係る情報表示装置において、
隣り合う前記単位表示部の間には反射面が形成されていることを特徴とする。
【００１０】
さらに本発明に係る情報表示装置において、
少なくとも１つの前記単位表示部は、下記条件式（３）を満たすことを特徴とする。
ｆ＜（２Ｄ−ｘ）＊ｉ／（ｂ＋ｈ）    ・・・（３）
ただし、
ｂ：前記情報表示装置を視認可能とする最長距離
Ｄ：前記レンズ主軸から前記表示部端までの距離
【００１１】
さらに本発明に係る情報表示装置において、
少なくとも１つの前記単位表示部は、下記条件式（４）を満たすことを特徴とする。
ｆ＋Ｄ／ｔａｎφ＞Ｍ＞ｆ−Ｄ／ｔａｎφ    ・・・（４）
ただし、
Ｍ：上方への前記反射面の突出量
ｔａｎφ＝（ｂ＋ｈ）／ｉ
ｂ：前記情報表示装置を視認可能とする最短距離
【００１２】
さらに本発明に係る情報表示装置は、
前記太陽電池部に隣り合って配置される第２の表示部を有し、
第１の観察方向からは前記表示部による像を観察させるとともに、前記第１の観察方向と異なる第２の観察方向からは前記第２の表示部による像を観察させることを特徴とする。
【００１３】
さらに本発明に係る情報表示装置は、
複数の前記単位表示部間で、前記表示部の幅と前記太陽電池部の幅の比率が異なることを特徴とする。
【００１４】
さらに本発明に係る情報表示装置は、
複数の前記単位表示部間で、前記レンズの光学特性が異なることを特徴とする。
【発明の効果】
【００１５】
本発明に係る情報表示装置によれば、太陽電池による発電量と、表示する像の視認性と、外観の環境調和性を高い水準で両立することが可能となる。特に路面等に設置された広告等の情報表示装置について、所定の観察距離において視認性を確保しつつ、太陽電池による発電を可能としている。
【図面の簡単な説明】
【００１６】
【図１】本発明の実施形態に係る情報表示装置の配置例を示す図
【図２】本発明の実施形態に係る情報表示装置の正面図、断面図
【図３】本発明の実施形態に係る観察者による情報表示装置観察の様子を示す図
【図４】本発明の実施形態に係る単位表示部の断面図
【図５】本発明の他の実施形態に係る単位表示部の断面図
【図６】本発明の他の実施形態に係る単位表示部の断面図
【図７】本発明の他の実施形態に係る単位表示部について、反射面の突出量（下限）を説明するための図
【図８】本発明の他の実施形態に係る単位表示部について、反射面の突出量（上限）を説明するための図
【図９】本発明の他の実施形態に係る単位表示部の正面図
【図１０】本発明の実施形態に係る情報表示装置の正面図、断面図
【図１１】本発明の他の実施形態に係る情報表示装置の正面図
【発明を実施するための形態】
【００１７】
図１は、本発明の実施形態に係る情報表示装置１の配置の様子を示したものである。本実施形態の情報表示装置１は、床面や路面上に配置され、歩行する観察者２、あるいは走行する車両に乗車する観察者２が、情報表示装置１の表面（上面）に表示された各種情報を視認可能にするものである。床面や路面に設置可能であるため、地下通路等の狭い空間においても大きな表示面を形成することが可能である。また、屋外の路面に設置した場合には、太陽光を十分に受光できるため、十分な発電量を見込むことが可能である。
【００１８】
図２には、本発明の実施形態に係る情報表示装置１の正面図、断面図が示されている。図２（Ａ）は、情報表示装置１の正面図、すなわち、上方からみたときの情報表示装置１の様子であり、図２（Ｂ）は、図２（Ａ）中、Ｇ−Ｇ間の断面図である。図に示すように、表示面をＸＹ平面にとり、表示面に直行する方向をＺ軸にとっている。
【００１９】
本実施形態の情報表示装置１は、図１で説明したように路面上に設置され、歩行者等に対して各種情報を視認させる表示体である。そのため、情報表示装置１は所定の方向（本実施形態では、図に示す矢印Ａの方向）から情報としての絵柄が視認可能となっている。本実施形態の情報表示装置１は、このような情報伝達機能に加え、太陽光等、受光した光による発電機能を備えたものとなっている。情報表示装置１は、複数の単位表示部１１ａ〜１１ｐを備えている。図に示されるように単位表示部１１ａ〜１１ｕは、上下方向（Ｙ軸方向）に隣り合って配置され、各単位表示部１１ａ〜１１ｕは、情報伝達機能と発電機能を有して構成されている。なお、図に示す情報表示装置１は、模式的に示したものであり、情報表示装置１内における単位表示部１１ａ〜１１ｕの数、高さ等は実情に応じて適宜形態が使用される。
【００２０】
図２（Ｂ）に示される断面図に示されるように、単位表示部１１ａは、レンズ１２ａと、表示部１３ａ、太陽電池部１４ａを備えている。表示部１３ａには、印刷、塗装などによる図柄が形成されている。表示部１３ａは、このような形態に代え、ＬＥＤ、液晶表示装置などの能動素子により図柄を形成可能な形態を採用することも可能である。太陽電池
部１４ａは、太陽光等の光を受光して発電を行う部材である。太陽電池部１４ａの表面は、暗色で形成されており、図柄を表示することはできない。図２（Ａ）の正面図は、観察者による観察像を示した模式図であり、便宜上、太陽電池部１４ａの位置についても図柄を示したものとなっている。
【００２１】
本実施形態の情報表示装置１は、路面上等に配置され、観察者が見下ろして観察する形態である。矢印Ａの方向から観察可能な本実施形態の場合、観察者側に太陽電池部１４ａが配置され、観察者から離れた位置に表示部１３ａが配置される。また、表示部１３ａと太陽電池部１４ａの上面には、視認効果、並びに、発電効果を高めるためのレンズ１２ａが配置されている。レンズ１２ａは、表示部１３ａから出射される表示光を適切な方向へ射出することで観察者に対する視認効果を高めるとともに、入射する光を太陽電池部１４ａに集光することで発電効果を高めることを可能としている。
【００２２】
本実施形態の情報表示装置１は、このような単位表示部１１ａを隣り合うように配置することで構成されている。なお、本実施形態では各単位表示部１１ａ〜１１ｕの構成（レンズ１２の形状、表示部１３と太陽電池部の高さの比率等）は、同じものを使用している。各単位表示部１１ａ〜１１ｕの構成を同じにすることで、情報表示装置１の構造が簡易化され、製造上のコストを抑えるとともに、複数の大きさ、形状の情報表示装置１に対しての適用が容易となる。なお、各単位表示部１１ａ〜１１ｕの構成は、その位置によって異ならせることも可能である。このような応用形態については後述する。
【００２３】
図３には、本発明の実施形態に係る観察者による情報表示装置１の観察形態が示されている。本実施形態の情報表示装置１は、歩行する観察者２によって観察する形態を前提としている。情報表示装置１内のある観察位置Ｐに対する観察は、観察者２の視点位置Ｏから俯角θで見下ろす形態で行われる。視点位置Ｏから情報表示装置１の下端までの距離をｚとした場合、本実施形態では２．０［ｍ］〜５．０［ｍ］の間で情報表示装置１に表示される像を観察可能とすることが好ましい。
いる。
【００２４】
また、本実施形態において、路面から観察者の視点位置の高さｉは、年齢による身長の違い、あるいは、観察者の状態（立った状態、しゃがんだ状態等）を考慮して、０．５〜２．０［ｍ]の間で移動可能として取り扱うこととしている。
【００２５】
図４には、本発明の実施形態に係る単位表示部１１の断面図が示されている。図２において説明したように、単位表示部１１は、表示部１３、太陽電池１４、レンズ１２を備えている。図３で説明したように、表示部１３に表示された図柄を効果的に観察する、言い換えると、太陽電池部１４の暗色表面がなるべく観察されないようにするには、表示部１３から射出される光線が、観察者側に届くような俯角θを形成すればよい。すなわち、表示部１３の下端（観察者側）に対する俯角θ１、表示部１３の上端に対する仰角θ２の範囲内であればよい。
【００２６】
このような条件を数式でもって表すと以下の条件式が導き出せる。まず、図３の関係から仰角θは、以下のように示される。
ｔａｎθ＝（ｚ＋ｈ）／ｉ
ただし、
ｚ：視点位置Ｏから情報表示装置１の下端までの距離
ｈ：情報表示装置１の下端から観察位置Ｐまでの距離
【００２７】
点位置Ｏから情報表示装置１の下端までの距離ｚは、２．０〜５．０［ｍ］の間で設定され、視点位置の高さｉは、０．５〜２．０［ｍ］の間で設定される。俯角θの下限θ１
は、単位表示部１１の光学構成との関係から、以下の関係が必要となる。ここで、ｆはレンズ１２の焦点距離、ｘはレンズ主軸１２ａから表示部１３と太陽電池部１４の境界位置までの距離をいう。なお、焦点距離ｆはレンズ１２の開口絞りの中心から表示基準面Ａまでの距離とする。レンズ１２にシリンドリカルレンズ（もしくはレンチキュラーレンズ）を使用する場合は、レンズ１２を構成する凸面を開口絞りと考え、当該凸面の中心位置が開口絞りの中心となる。また、開口絞りから表示基準面Ａの間に光学要素を設ける場合は、像側、すなわち、表示基準面Ａ側からみた開口絞りの像、すなわち射出瞳の中心から表示基準Ａ面までの距離とすればよい。
ｔａｎθ１＝ｘ／ｆ
ｚ＝ａ、すなわち、観察者が情報表示装置１を視認可能とする最短距離（本実施形態では２［ｍ］）において、上述した条件式を満足する必要があるため、以下の式が成立する。
ｔａｎθ１＝ｘ／ｆ＜（ａ＋ｈ）／ｉ
【００２８】
この式を書き換えると、レンズ１２の焦点距離ｆについて、以下に示す条件式（１）が成立する。
ｆ＞ｘ＊ｉ／（ａ＋ｈ）    ・・・（１）
ただし、
ｆ：レンズ１２の焦点距離
ａ：情報表示装置１を視認可能とする最短距離
ｘ：レンズ主軸１２ａの位置から表示部１３と太陽電池部１４の境界位置までの距離
ｉ：視点位置の高さ
ｈ：情報表示装置１の下端から観察位置Ｐまでの距離
【００２９】
一方、ｚ＝ｂ、すなわち、観察者が情報表示装置１を視認可能とする最長距離（本実施形態では５［ｍ］）では、俯角θの上限θ２は、単位表示部１１の光学構成との関係から、以下の関係が必要となる。
ｔａｎθ２＝Ｄ／ｆ＞（ｂ＋ｈ）／ｉ
【００３０】
この式を書き換えると、レンズ１２の焦点距離ｆについて、以下に示す条件式（２）が成立する。
ｆ＜Ｄ＊ｉ／（ｂ＋ｈ）    ・・・（２）
ただし、
ｂ：情報表示装置１を視認可能とする最長距離
Ｄ：レンズ主軸１２ａから表示部１３端までの距離
【００３１】
少なくとも条件式（１）を満足することにより、最短距離ａにおいて太陽電池部１４による発電量と、表示部１３に表示される像の視認性に優れた情報表示装置１を提供することが可能となる。情報表示装置１内の適宜箇所に位置する単位表示部１１が視認性に関する条件式（１）を満足する場合、ある程度の大きさ以内の情報表示装置１であれば、所定の条件式における許容範囲内となり、視認可能となることが予想される。本実施形態の情報表示装置１において、条件式を厳格に適用する場合、情報表示装置１内の全ての単位表示部１１について、少なくとも条件式（１）を満たすようにすることで視認性能の更なる向上が図られる。さらに、条件式（２）を満足することで、最長距離ｂにおいても太陽電池部１４による発電量と、表示部１３に表示される像の視認性に優れた情報表示装置１を提供することが可能となる。
【００３２】
本実施形態の情報表示装置１は、図２で説明したように複数の単位表示部１１ａ〜１１ｕを上下方向に配列することで構成されている。図４では１つの単位表示部１１を例にとって説明を行ったが、実際には、複数の単位表示部１１ａ〜１１ｕが配列されているため
、隣り合う単位表示部１１ａ〜１１ｕ間で光学的な干渉が発生することが考えられる。このような光学的干渉は、例えば、単位表示部１１ｆの表示部１３ｆを観察すべきところ、隣り合う単位表示部１１ｅの太陽電池部１４ｅを観察してしまうことで、観察する像に歪みが生じる、あるいは、単位表示部１１ｅの太陽電池部１４ｅに入射すべき光が、隣り合う単位表示部１１ｆの表示部１３ｆに入射することで発電効率が低下してしまうことが考えられる。
【００３３】
このような光学的な干渉を抑制するため、本発明の他の実施形態に係る情報表示装置１では、隣り合う単位表示部１１ａ〜１１ｕの間に反射面を形成したことを特徴としている。図６には、反射面Ｂを有する情報表示装置１について、図４と同様、単位表示部１１の断面図が示されている。
【００３４】
単位表示部１１が、レンズ１２、表示部１３、太陽電池部１４を備えて構成される点は、図４の実施形態と同様である。本実施形態では、隣り合う単位表示部１１ａ〜１１ｕの間に反射面が形成されている点において異なっている。レンズ１２の上面と下面に反射面Ｂが形成されている。反射面Ｂは、表示部１３、太陽電池部１４の表面である表示基準面Ａから観察側（Ｚ軸の負の方向）に、突出量Ｍだけ突き出して形成されている。本実施形態では、ミラー隔壁１５を配置することで反射面１５を形成している。なお、レンズ１２の側面に位置するミラー隔壁１５の他の面は、この単位表示部１１の上方に隣り合って位置する他の単位表示部１１の反射面Ｂとして機能する。反射面Ｂの形成は、ミラー隔壁１５等の反射部材を配置する形態の他、レンズ１２の表面に金属膜を蒸着する表面加工を施す等、各種形態で行うことが可能である。図中、ミラー隔壁１５は、Ｙ方向に関する厚みを有しているが、実際には、できる限り薄く形成することが好ましい。
【００３５】
このように、レンズ１２の上面と下面に反射面を設けた形態では、表示部１３の表示範囲（俯角θ）の拡大を図ることが可能である。俯角の下限値θ１については、図４で説明した形態と同様であり、条件式（１）を満たすことが必要となる。仰角の上限値θ２については、レンズ１２の右側（観察位置と反対側）の反射面Ｂによって拡大が図られたものとなっている。具体的には、反射面Ｂを設けたことで、表示部１３と太陽電池部１４の境界位置をレンズ１２の上面に関して対称となる位置が、表示部１３から出射される光の上限位置となる。したがって、反射面Ｂを設けた場合の仰角θの上限θ２は、単位表示部１１の光学構成との関係から、以下の関係が必要となる。
ｔａｎθ２＝（ｂ＋ｈ）／ｉ＜（２Ｄ−ｘ）／ｆ
【００３６】
この式を書き換えると、レンズ１２の焦点距離ｆについて、以下に示す条件式（３）が成立する。
ｆ＜（２Ｄ−ｘ）＊ｉ／（ｂ＋ｈ）    ・・・（３）
ただし、
ｂ：情報表示装置１を視認可能とする最短距離
Ｄ：レンズ主軸１２ａから表示部１３端までの距離
【００３７】
このように、レンズ１２の間に反射面を設けたことで、レンズ１２について観察位置と反対側に位置する反射面Ｂは、表示部１３の光学的拡大機能として作用する。さらに、レンズ１２について観察位置側に位置する反射面Ｂは、太陽電池部１４の集光拡大機能として作用することとなる。ただし、反射面Ｂの突出量Ｍには、下限と上限が必要となる。具体的には、レンズ１２の上面に位置する反射面Ｂについて突出量Ｍの下限が規定される。すなわち、反射面Ｂの突出量Ｍを短くし過ぎると、表示部１３の下端位置から出射された光が反射面Ｂで反射されず、観察者とは異なる方向（上方）に射出されることとなる。
【００３８】
図６には、本発明の他の実施形態に係る単位表示部について、反射面の突出量Ｍ（下限
）を説明するための図が示されている。反射面の突出量Ｍの下限は、表示部１３と太陽電池部１４の境界位置から出射された光が、反射面Ｂで反射されることが条件となる。この光線がレンズ主軸１２ａと形成する角度をφとすると、Ｍの下限は、以下の条件式（４−１）で表すことができる。
Ｍ＞ｆ−Ｄ／ｔａｎφ    ・・・（４−１）
ここで、角度φは、条件式（２）で規定する最短距離ｂの仰角条件を満たす必要がある。したがって、
ｔａｎφ＝（ｃ＋ｈ）／ｂ
ｂ：前記情報表示装置を視認可能とする最短距離
となる。
【００３９】
図７には、本発明の他の実施形態に係る単位表示部について、反射面の突出量Ｍ（上限）を説明するための図が示されている。反射面の突出量Ｍの上限は、最も上方から出射される表示部１３の光（反射面Ｂで反射された光）が、下方に位置する反射面Ｂで遮蔽されないことが条件となる。この光線がレンズ主軸１２ａと形成する角度をφとすると、Ｍの上限は、以下の条件式（４−２）で表すことができる。
Ｍ＜ｆ＋Ｄ／ｔａｎφ    ・・・（４−２）
ここで、ｔａｎφについては、条件式（４−１）と同様である。
【００４０】
したがって、条件式（４−１）と条件式（４−２）満たす必要があり、両条件式をあわせると、以下の条件式（４）が成立する。
ｆ＋ｔａｎφ＞Ｍ＞ｆ−ｔａｎφ    ・・・（４）
ただし、
Ｍ：観察側への反射面の突出量
ｔａｎφ＝（ｂ＋ｈ）／ｉ
ｂ：情報表示装置を視認可能とする最長距離
【００４１】
反射面Ｂを設けた場合、このような突出量Ｍの関係を形成することで、観察者に対して表示部１３が形成する像を適切に視認可能にするとともに、太陽電池部１４における集光性能の向上を図り発電量の増加を図ることが可能となる。
【００４２】
以上、本発明の実施形態に係る情報表示装置１（情報表示装置）について説明を行ったが、本発明の情報表示装置１によれば、太陽電池による発電量、表示する像の視認性、並びに、外観の環境調和性を高い水準で両立することが可能となる。
【００４３】
本実施形態では、同じ構成の単位表示部１１を複数配置した情報表示装置１について説明を行ったが、情報表示装置１内に配置する単位表示部１１の構成は、その位置（Ｙ軸方向の距離）に応じて異ならせることとしてもよい。すなわち、情報表示装置１内に配置される複数の単位表示部１１内で、異なる構成を有する単位表示部１１が存在することとしてもよい。例えば、表示部１３の高さと太陽電池部１４の高さの比率を、情報表示装置１内での位置（図３のｈ）に応じて異ならせることで、表示部１３の視認性、並びに、太陽電池１４の集光性能の向上を図ることが可能である。また、単位表示部１１の構成は、情報表示装置１内での位置ｈに応じて、レンズ１２の焦点距離ｆ等、レンズ１２の光学特性を異ならせることとしてもよい。この場合も同様に、表示部１３の視認性、並びに、太陽電池１４の集光性能の向上を図ることが可能となる。特に、情報表示装置１内の単位表示部１１の構成が異なる場合、各単位表示部１１において、上述した各種条件式を満たすことで、視認性の向上、並びに、太陽電池部１４の集光性能の向上を図ることが可能となる。
【００４４】
以上説明した実施形態は、図２中、矢印Ａで示す方向から情報表示装置１を観察する形
態について説明を行ったが、図２中の反対方向（矢印Ｂで示す方向）から情報表示装置１を観察可能とする形態としてもよい。この場合、各単位表示部１１の構成が異なったものとなる。図８には、矢印Ａ、矢印Ｂの両方向から観察可能とする情報表示装置１について、単位表示部１１の構成が示されている。図８（Ａ）は、図５と同様、ミラー隔壁１５を有する形態について、単位表示部１１の断面図を示したものであり、図８（Ｂ）は、単位表示部１１の正面図である。
【００４５】
本実施形態では、図８（Ａ）中、図５と同様に太陽電池部１４の右側（観察者と反対側）に第１の表示部１３Ａが配置されている。さらに、太陽電池部１４の左側（観察者側）に第２の表示部１３Ｂを配置することで、図２中、矢印Ｂで示す方向から像を観察することを可能としている。本実施形態では、矢印Ａの方向、矢印Ｂの方向、どちらから観察した場合においても同じ像を観察する形態となっている。このような形態のみならず、第１の表示部１３Ａと第２の表示部１３Ｂには、異なる表示をすることとしてもよい。図９には、このような形態における単位表示部１１の正面図を示したものである。第１の表示部１３Ａと第２の表示部１３Ｂにて表示する画像を異ならせることで、図２中、矢印Ａで示す方向と、矢印Ｂで示す方向から情報表示装置１を観察した場合、観察者に対して異なる像を視認させることが可能となっている。
【００４６】
情報表示装置１の観察可能方向はさらに増やすことも可能である。図１０には、矢印Ａ、Ｂ、Ｃ、Ｄで示す方向から視認可能な情報表示装置１について、その上面図（図１０（Ａ））と、Ｇ−Ｇ間における断面図（図１０（Ｂ））を示したものである。このように４方向から視認可能とする場合、単位表示部１１は、Ｙ軸方向のみならず、Ｘ軸方向に対しても分割されて構成されたものとなる。
【００４７】
図１１には、このように４方向から視認可能な情報表示装置１について、表示部１３と太陽電池部１４の配置構成が示されている。図１１（Ａ）は、全ての方向から同じ像を視認可能とした形態であって、太陽電池部１４を取り囲むように表示部１３が形成されている。このような配置形態では、図１０に示される情報表示装置１をどの方向から見た場合においても同じ像を視認することが可能である。図１１（Ｂ）は、各方向から異なる像を視認可能な構成となっている。太陽電池部１４に隣り合うように異なる表示部１３Ａ〜１３Ｄが配置されている。このような配置形態では、図１０に示される矢印Ａ〜Ｄの４方向について、観察者に異なる像を観察させることが可能となる。
【００４８】
なお、本発明はこれらの実施形態のみに限られるものではなく、それぞれの実施形態の構成を適宜組み合わせて構成した実施形態も本発明の範疇となるものである。
【符号の説明】
【００４９】
１…情報表示装置（情報表示装置）
２…観察者
１１…単位表示部
１２…レンズ
１２ａ…レンズ主軸
１３…表示部
１４…太陽電池部
１５…ミラー隔壁
【図１】
2015069115.tif 000003
【図２】
2015069115.tif 000004
【図３】
2015069115.tif 000005
【図４】
2015069115.tif 000006
【図５】
2015069115.tif 000007
【図６】
2015069115.tif 000008
【図７】
2015069115.tif 000009
【図８】
2015069115.tif 000010
【図９】
2015069115.tif 000011
【図１０】
2015069115.tif 000012
【図１１】
2015069115.tif 000013